(57)【特許請求の範囲】
【請求項１】
画像情報を受信する受信手段と、
前記受信手段が受信した画像情報を記憶する記憶手段と、
前記記憶手段に記憶された画像情報を画像記録媒体の片面又は両面へ記録を行う記録手段と、
前記記憶手段の空き容量が両面印刷が可能なだけの所定量以上有るか否かを判断する空容量判断手段と、
前記画像記録媒体の両面に記録を行う両面記録モードを設定する両面記録モード設定手段とを備え、
前記両面記録モード設定手段により両面記録モードが設定されている場合に、前記空容量判断手段が前記記憶手段の空き容量が前記所定量未満であると判断した場合には、前記両面記録モード設定手段により設定された両面記録モードを解除して、前記記録手段により前記画像記録媒体の片面への記録を行うことを特徴とする画像記録装置。
【請求項２】
前記記録手段が複数頁の画像情報を前記画像記録媒体の片面へ記録中に、前記記憶手段の空き容量が前記所定量以上に回復した場合にも、前記画像記録媒体の両面記録を行う両面記録モードに復帰せず、前記画像記録媒体の片面へ記録を続行することを特徴とする請求項１に記載の画像記録装置。
【請求項３】
通信回線を介して接続された他の装置からの要求により、前記記憶手段に記憶した画像情報を当該他の装置に送信する送信手段を備えたことを特徴とする請求項１又は２に記載の画像記録装置。
【請求項４】
通信回線を介して接続された他の装置から送信される音声情報を前記記憶手段に記憶することを特徴とする請求項１乃至３の何れかに記載の画像記録装置。
【発明の詳細な説明】
【０００１】
【発明の属する技術分野】
本発明は、画像情報を記憶する記憶手段を備え、当該記憶手段に記憶された画像情報を画像記録媒体の片面又は両面に記録する画像記録装置に関する。
【０００２】
【従来の技術】
従来の画像記録装置の一種であるファクシミリ装置では、画像情報を記憶する記憶手段を備え、受信した画像情報を、一旦、記憶手段に記憶し、当該記憶手段から画像情報を読み出して復号化して印刷を行っていた。これらのファクシミリ装置では、特開平６−３１９０３１号公報に記載されているファクシミリ装置のように、印刷における付加機能として、印刷用紙の両面への印刷（以下、「両面印刷」という。）を行う機能を備えたものも知られていた。この両面印刷を行うことができるファクシミリ装置では、記憶手段の印刷データ展開バッファに展開した印刷用のイメージデータを、印刷機構によって印刷用紙の表面に印刷した後に、印刷用紙を両面印刷機構に排出し、そこで、印刷用紙の印刷面を反転して、再度印刷機構に戻して、印刷用紙の裏面にも印刷を行っていた。
【０００３】
【発明が解決しようとする課題】
しかしながら、上記のように両面印刷を行うことができるファクシミリ装置では、印刷用紙を両面印刷機構で反転する時間がかかるために、従来の片面印刷のみを行うファクシミリ装置に比べて、記憶手段は、受信した画像情報や展開されたイメージデータを長時間記憶しておくことになる。従って、記憶手段の空き容量が少なくなり、記憶手段が受信した画像情報で一杯になり、続けて受信を行えなくなるという問題点があった。
【０００４】
また、ファクシミリ装置によっては、留守番電話機能を備えたものがあり、この留守番電話機能を備えたファクシミリ装置では、受信したメッセージを記憶する記憶手段は、上記の画像情報を記憶する記憶手段と兼用されていることが多く、記憶手段の空き容量が、さらに少なくなり、記憶手段が受信した画像情報で一杯になり易くなり、続けて受信を行えなくなるという問題点があった。
【０００５】
さらに、ファクシミリ装置によっては、受信した画像情報を記憶手段に記憶しておいて、通信回線を介して接続された他のファクシミリ装置からの要求により、前記記憶手段に記憶した画像情報を当該他のファクシミリ装置に送信する機能を備えたものも知られている。この機能を備えたファクシミリ装置では、受信した画像情報を他のファクシミリからの送信要求があるまでは、記憶手段に記憶しておくために、記憶手段の空き容量が、さらに少なくなり、記憶手段が受信した画像情報で一杯になり易くなり、続けて受信を行えなくなるという問題点があった。
【０００６】
本発明は、上記問題点を解決するためになされたものであり、両面印刷機能を備えた画像記録装置において、受信した画像情報を記憶する記憶手段の空き容量が少なくなったときには、両面印刷を行わないようにして、記憶手段が受信した画像情報で一杯になることを防止することができる画像記録装置を提供することを目的とする。
【０００７】
【課題を解決するための手段】
【０００８】
【０００９】
上述の目的を達成するために、請求項１に記載の画像記録装置では、画像情報を受信する受信手段と、前記受信手段が受信した画像情報を記憶する記憶手段と、前記記憶手段に記憶された画像情報を画像記録媒体の片面又は両面へ記録を行う記録手段と、前記記憶手段の空き容量が両面印刷が可能なだけの所定量以上有るか否かを判断する空容量判断手段と、前記画像記録媒体の両面に記録を行う両面記録モードを設定する両面記録モード設定手段とを備え、前記両面記録モード設定手段により両面記録モードが設定されている場合に、前記空容量判断手段が前記記憶手段の空き容量が前記所定量未満であると判断した場合には、前記両面記録モード設定手段により設定された両面記録モードを解除して、前記記録手段により前記画像記録媒体の片面への記録を行うことを特徴とする構成となっている。
【００１０】
この構成の画像記録装置では、両面記録モード設定手段により両面記録モードが設定されている場合に、前記空容量判断手段が前記記憶手段の空き容量が両面印刷が可能なだけの所定量未満であると判断した場合には、前記両面記録モード設定手段により設定された両面記録モードを解除して、前記記録手段により前記画像記録媒体の片面への記録を行う。従って、記憶手段の空き容量が前記所定量未満の場合には、両面印刷を行わないので、記憶手段が受信した画像情報で一杯になることを防止することができる。
【００１１】
さらに、請求項２に記載の画像記録装置では、請求項１に記載の画像記録装置の構成に加え、前記記録手段が複数頁の画像情報を前記画像記録媒体の片面へ記録中に、前記記憶手段の空き容量が前記所定量以上に回復した場合にも、前記画像記録媒体の両面記録を行う両面記録モードに復帰せず、前記画像記録媒体の片面へ記録を続行することを特徴とする構成となっている。
【００１２】
この構成の画像記録装置では、請求項１に記載の画像記録装置の作用に加え、前記記録手段が複数頁の画像情報を前記画像記録媒体の片面へ記録中に、前記記憶手段の空き容量が両面印刷が可能なだけの所定量以上に回復した場合にも、前記画像記録媒体の両面記録を行う両面記録モードに復帰せず、前記画像記録媒体の片面へ記録を続行する。従って、複数頁の印刷結果が、片面印刷のものの後に両面印刷のものが混じってしまうことがない。
【００１３】
さらに、請求項３に記載の画像記録装置では、請求項１又は２に記載の画像記録装置の構成に加えて、通信回線を介して接続された他の装置からの要求により、前記記憶手段に記憶した画像情報を当該他の装置に送信する送信手段を備えている。
【００１４】
この構成の画像記録装置では、請求項１又は２に記載の画像記録装置の作用に加え、通信回線を介して接続された他の装置からの要求により、送信手段が前記記憶手段に記憶した画像情報を当該他の装置に送信する画像記録装置においても、記憶手段が受信した画像情報で一杯になることを防止することができる。
【００１５】
また、請求項４に記載の画像記録装置では、請求項１乃至３の何れかに記載の画像記録装置の構成に加え、通信回線を介して接続された他の装置から送信される音声情報を前記記憶手段に記憶することを特徴とする構成となっている。
【００１６】
この構成の画像記録装置では、請求項１乃至３の何れかに記載の画像記録装置の作用に加え、通信回線を介して接続された他の装置から送信される音声情報を前記記憶手段に記憶する留守番電話機能を備えた画像記録装置でも、記憶手段が受信した画像情報で一杯になることを防止することができる。
【００１７】
【発明の実施の形態】
次に、本発明の一実施形態について図面を参照して説明する。図１は、本発明の一実施の形態の画像記録装置の一例であるファクシミリ装置１の構成を示すブロック図である。
【００１８】
図１に示すように、ファクシミリ装置１には、ファクシミリ装置１全体の制御を行うＣＰＵユニット２が設けられ、ＣＰＵユニット２には、各種の演算処理を行うＣＰＵ３及び各種の処理を行う論理回路により構成されたゲートアレー４と、図示外のＩ／Ｏ回路とが設けられている。なお、ゲートアレー４は、ＭＨ方式、ＭＲ方式等の符号化と復号化を行う機能も備えている。
【００１９】
また、ファクシミリ装置１には、電話番号を入力するテンキーや両面印刷を設定する両面印刷設定キー等が配置された入力キーユニット５が設けられ、入力キーユニット５は入力キーユニット５でのキー操作を入力信号としてＣＰＵユニット２に伝える入力キー制御回路６に接続され、入力キー制御回路６は、ＣＰＵユニット２に接続されている。
【００２０】
また、ＣＰＵユニット２には、ＣＰＵ３で実行される制御プログラム及び初期設定値を記憶したＲＯＭ７と、各種の設定値を記憶した書換可能なＥＥＰＲＯＭＭ８とが各々接続されている。さらに、ＣＰＵユニット２には、画像情報や受信した音声情報や両面印刷の設定情報等を記憶するＲＡＭ９が接続されている。
【００２１】
また、ファクシミリ装置１には、図示外の画像記録媒体の一例である印刷用紙やＯＨＰシート等を副走査方向に搬送するための記録ＬＦモータ１０が設けられ、記録ＬＦモータ１０は、記録ＬＦモータ制御回路１１を介して、ＣＰＵユニット２に接続されている。
【００２２】
さらに、ファクシミリ装置１には、図示外の原稿をＣＣＤ（電荷結合素子）やＣＩＳ（コンタクトイメージセンサ）を使った読取装置２２で読み取る場合に、原稿又は読取装置２２を副走査方向に搬送するための読取モータ１２が設けられ、読取モータ１２は、読取モータ制御回路１３を介して、ＣＰＵユニット２に接続されている。
【００２３】
また、ファクシミリ装置１には、後述する印字ヘッド２４を主走査方向に搬送するための図示外のキャリッジを駆動するキャリッジモータ１４が設けられ、キャリッジモータ１４には、キャリッジモータ制御回路１５が接続され、キャリッジモータ制御回路１５は、ＣＰＵユニット２に接続されている。
【００２４】
さらに、ＣＰＵユニット２には、コンピュータ等の外部機器とのデータの送受信を行うＩＥＥＥ１２８４規格に準拠したＩＥＥＥ１２８４インターフェース１６と、ＲＡＭ音声情報の再生をスピーカー１７とが接続されている。
【００２５】
また、ＣＰＵユニット２には、変復調機であるモデム１８が接続され、モデム１８には、通信回線２０との接続を制御するネットワークコントロールユニットであるＮＣＵ１９が接続され、ＮＣＵ１９には、送話器及び受話器を備えたハンドセット２１が接続されている。また、ファクシミリ装置１には、原稿の画像を読み取る読取装置２２が設けられ、読取装置２２は、画像処理ＬＳＩ２３に接続され、画像処理ＬＳＩ２３は、ＣＰＵユニット２に接続されている。
【００２６】
さらに、ファクシミリ装置１には、インクジェット方式の印字ヘッド２４が設けられ、印字ヘッド２４には、ヘッド駆動回路２５が接続され、ヘッド駆動回路２５は、ＣＰＵユニット２に接続されている。また、ＣＰＵユニット２には、センサー２６が設けられている。このセンサー２６は、図１では、１つしか図示されていないが、実際には、図示外の用紙センサー、原稿センサー、インクセンサー等各種のセンサーが設けられ、ＣＰＵユニット２に接続されている。
【００２７】
さらに、ファクシミリ装置１には、各種の設定や入力キーユニット５からの入力結果等を表示する液晶パネルから構成された表示パネル２７が設けられ、表示パネル２７は表示パネル２７を制御する表示パネル制御回路２８に接続され、表示パネル制御回路２８は、ＣＰＵユニット２に接続されている。また、ファクシミリ装置１には、図示外の両面印刷機構と当該両面印刷機構を駆動する両面印刷機構２９とが設けられ、両面印刷機構２９は両面印刷機構制御回路３０に接続され、両面印刷機構制御回路３０は、ＣＰＵユニット２に接続されている。
【００２８】
次に、図２を参照して、ＲＡＭ９の記憶エリアについて説明する。図２は、ＲＡＭ９の記憶エリアの内容を示す概念図である。
【００２９】
図２に示すように、ＲＡＭ９には、印刷用紙の両面に両面印刷を行うか否かのの設定を記憶する両面印刷設定情報記憶エリア９ａと、通信回線２０から受信しモデム１８で復調した画像情報や、読取装置２２で読み取った原稿の画像情報を記憶する画像情報記憶エリア９ｂと、画像情報を復号化し、印字ヘッド２４で印字するための印刷データを展開する印刷データ展開バッファ９ｃと、通信回線２０を介して接続された他の電話機からの音声メッセージを記憶するＩＣＭ（In Coming Message)記憶エリア９ｄ等が設けられている。なお、ＲＡＭ９には、図示外のワークエリア等も設けられている。
【００３０】
次に、図３を参照して、入力キーユニット５の構造について説明する。図３は、ファクシミリ装置１の図示外の筐体の上面に設けられている入力キーユニット５の平面図である。
【００３１】
図３に示すように、入力キーユニット５には、電話番号を入力する「０〜９」の数字ボタンと、「＊」及び「＃」の記号ボタンとから構成されたダイアルボタン３７と、予め記憶した電話番号を１つのボタンの操作で発信させる短縮発信ボタン３８と、ファクシミリ装置の原稿読み込みのスタートや送信のスタートを指示するスタートボタン３２と、原稿読み込みの中止や、送信の中止を指示する停止ボタン３３と、印刷用紙への両面印刷を指示する両面印刷ボタン３４と、ＲＡＭ９の画像情報記憶エリア９ｂに記憶した画像情報を通信回線２０を介して接続された他のファクシミリ装置からの要求信号により、当該他のファクシミリ装置に転送する機能（以下、「リトリーバル機能」という。）を設定するリトリーバル機能設定ボタン３５と、ＩＣＭ記憶エリア９ｄに録音された音声情報の再生を指示する再生指示ボタン３１と、機能留守番電話機能等の各種機能の設定を行う機能設定ボタン３６とが設けられている。
【００３２】
なお、両面印刷ボタン３４を押下して、両面印刷の設定をしたときには、図２に示すＲＡＭ９の両面印刷設定情報記憶エリア９ａに両面印刷モードの設定を示す「１」が記憶されて、図１に示す表示パネル２７上に両面印刷モードに設定されていることを示す「両面印刷」との文字が表示される。この両面印刷モードが設定された場合には、ＣＰＵユニット２によって、両面印刷機構制御回路３０を介して両面印刷機構２９が駆動されて、片面に印刷された印刷用紙が裏返されて、裏面にも印刷が行われる。
【００３３】
次に、本実施の形態のファクシミリ装置１のファクシミリ受信記録処理について図４に示すフローチャートを参照して説明する。図４は、本実施の形態のファクシミリ装置１のファクシミリ受信記録処理を示すフローチャートである。以下、フローチャートの各ステップは「Ｓ」と称する。
【００３４】
ＲＯＭ７に記憶された主制御プログラム（図示外）に従って、ファクシミリ装置１が、受信した画像の印刷を行う場合には、図４に示すファクシミリ受信記録処理を行う。
【００３５】
まず、両面印刷の設定がなされているか否かを判断する（Ｓ１）。このＳ１の判断は、具体的には、ＲＡＭ９の両面印刷設定情報記憶エリア９ａに両面印刷のモード設定を示す「１」が記憶されているか否かで判断する（Ｓ１）。両面印刷設定情報記憶エリア９ａに両面印刷のモード設定を示す「１」が記憶されている場合には、両面印刷設定がＯＮであるので（Ｓ１：ＹＥＳ）、ＲＡＭ９に両面印刷が可能なだけの空きメモリが有るか否かを判断する（Ｓ２）。
【００３６】
ＲＡＭ９に両面印刷が可能なだけの所定量以上の空きメモリが有る場合（Ｓ２：ＹＥＳ）、例えば、１頁分の記録メモリの２倍の以上の空きがある場合には（Ｓ２：ＹＥＳ）、通信回線２０を介して接続された他のファクシミリ装置から１頁分の画像データを受信して、ＲＡＭ９の画像情報記憶エリア９ｂに当該１頁分の画像データを記憶する（Ｓ３）。１頁分の画像データの受信が完了するまでは受信を続け（Ｓ３：ＮＯ）、１頁分の画像データの受信が完了した場合には（Ｓ３：ＹＥＳ）、ＲＡＭ９の画像情報記憶エリア９ｂに記憶された１頁分の画像データを復号化して印刷データ展開バッファ９ｃに展開して、印字ヘッド２４により印刷用紙の表面に印刷を行う（Ｓ４）。
【００３７】
そして、通信回線２０を介して接続された他のファクシミリ装置から次の頁の画像データの受信がある場合には（Ｓ５：ＹＥＳ）、ＲＡＭ９の画像情報記憶エリア９ｂに次の１頁分の画像データを記憶する（Ｓ６）。次の１頁分の画像データの受信が完了するまでは受信を続け（Ｓ６：ＮＯ）、１頁分の画像データの受信が完了した場合には（Ｓ６：ＹＥＳ）、ＲＡＭ９の画像情報記憶エリア９ｂに記憶された１頁分の画像データを復号化して印刷データ展開バッファ９ｃに展開して、印字ヘッド２４により印刷用紙の裏面に印刷を行う（Ｓ７）。
【００３８】
なお、Ｓ７の処理においては、ＣＰＵユニット２が、両面印刷機構制御回路３０を介して両面印刷機構２９を駆動して、図示外の両面印刷機構を動作させて、表面に印刷された印刷用紙を裏返し、印字ヘッド２４により印刷用紙の裏面に印刷を行うので（Ｓ７）、図示外の両面印刷機構により印刷用紙が裏返されて印字ヘッド２４に対向する位置まで搬送されるまでの間は、ＲＡＭ９の画像情報記憶エリア９ｂ及び印刷データ展開バッファ９ｃの記憶内容が消去されないので、片面印刷の場合に比べて、ＲＡＭ９の記憶エリアの占有される時間が長くなることになる。
【００３９】
さらに、次の頁の画像データの受信がある場合には（Ｓ８：ＹＥＳ）、Ｓ１の処理に戻る。次の頁の画像データの受信がない場合には（Ｓ８：ＮＯ）、ファクシミリ受信記録処理を終了して、図示外の主制御プログラムの処理にリターンする。
【００４０】
なお、上記のファクシミリ受信記録処理で、Ｓ１の判断処理において、ＲＡＭ９の両面印刷設定情報記憶エリア９ａに片面印刷のモード設定を示す「０」が記憶されている場合には、両面印刷設定がＯＦＦであるので（Ｓ１：ＮＯ）、印刷用紙の片面だけに印刷を行うことになる。具体的には、通信回線２０を介して接続された他のファクシミリ装置から１頁分の画像データを受信して、ＲＡＭ９の画像情報記憶エリア９ｂに当該１頁分の画像データを記憶する（Ｓ９）。１頁分の画像データの受信が完了するまでは受信を続け（Ｓ９：ＮＯ）、１頁分の画像データの受信が完了した場合には（Ｓ９：ＹＥＳ）、ＲＡＭ９の画像情報記憶エリア９ｂに記憶された１頁分の画像データを復号化して印刷データ展開バッファ９ｃに展開して、印字ヘッド２４により印刷用紙の表面に印刷を行う（Ｓ１０）。
【００４１】
さらに、次の頁の画像データの受信がある場合には（Ｓ１１：ＹＥＳ）、Ｓ９の処理に戻る。次の頁の画像データの受信がない場合には（Ｓ１１：ＮＯ）、ファクシミリ受信記録処理を終了して、図示外の主制御プログラムの処理にリターンする。
【００４２】
次に、上記のファクシミリ受信記録処理で、両面印刷の設定がなされている場合に（Ｓ１：ＹＥＳ）、ＲＡＭ９に両面印刷が可能なだけの空きメモリが無い場合（Ｓ２：ＮＯ）の処理について説明する。
【００４３】
両面印刷の設定がなされている場合に（Ｓ１：ＹＥＳ）、ＲＡＭ９に両面印刷が可能なだけの所定量以上の空きメモリが無い場合（Ｓ２：ＮＯ）、例えば、ＲＡＭ９に２画面分を記憶するだけの空きがない場合には（Ｓ２：ＮＯ）、両面印刷を行うことができるだけのＲＡＭ９の空き容量がないので、Ｓ９に移行して両面印刷の処理を行わずに片面印刷の処理を行う。
【００４４】
具体的には、通信回線２０を介して接続された他のファクシミリ装置から１頁分の画像データを受信して、ＲＡＭ９の画像情報記憶エリア９ｂに当該１頁分の画像データを記憶する（Ｓ９）。１頁分の画像データの受信が完了するまでは受信を続け（Ｓ９：ＮＯ）、１頁分の画像データの受信が完了した場合には（Ｓ９：ＹＥＳ）、ＲＡＭ９の画像情報記憶エリア９ｂに記憶された１頁分の画像データを復号化して印刷データ展開バッファ９ｃに展開して、印字ヘッド２４により印刷用紙の表面に印刷を行う（Ｓ１０）。
【００４５】
さらに、次の頁の画像データの受信がある場合には（Ｓ１１：ＹＥＳ）、Ｓ９の処理に戻る。次の頁の画像データの受信がない場合には（Ｓ１１：ＮＯ）、ファクシミリ受信記録処理を終了して、図示外の主制御プログラムの処理にリターンする。従って、両面印刷の設定がなされていても、一旦、片面印刷のモードになると、ファクシミリ受信記録処理が終了するまでは、両面印刷に戻ることがない。
【００４６】
以上の処理により本実施の形態のファクシミリ装置１のファクシミリ受信記録処理を終了する。
【００４７】
以上説明したように、上記のファクシミリ装置１では、ＲＡＭの空き容量が所定量よりも少ない場合には、両面印刷の設定がなされていても、両面印刷の設定を解除して、片面印刷にて印刷を行うので、受信した画像情報で、ＲＡＭの画像情報記憶エリア一杯になってしまい、続けて受信できなくなってしまうことがない。また、両面印刷の設定がなされていても、一旦、片面印刷のモードになると、ファクシミリ受信記録処理が終了するまでは、両面印刷に戻ることがないので、両面印刷の後に、片面印刷、さらに、両面印刷となってしまうことがないので、使用者混乱することがない。
【００４８】
なお、上記の実施の形態では、記録方式はインクジェット方式としたが、レーザー記録方式であっても、感熱、熱転写記録方式であってもかまわない。
【００４９】
【発明の効果】
【００５０】
以上説明したように、請求項１に記載の画像記録装置では、両面記録モード設定手段により両面記録モードが設定されている場合に、前記空容量判断手段が前記記憶手段の空き容量が両面印刷が可能なだけの所定量未満であると判断した場合には、前記両面記録モード設定手段により設定された両面記録モードを解除して、前記記録手段により前記画像記録媒体の片面への記録を行うことができる。従って、記憶手段が受信した画像情報で一杯になることを防止することができる。よって、記憶手段へ画像情報を引き続き受信し続けることができ、受信エラー等の発生を防止できる。
【００５１】
さらに、請求項２に記載の画像記録装置では、請求項１に記載の画像記録装置の効果に加え、前記記録手段が複数頁の画像情報を前記画像記録媒体の片面へ記録中に、前記記憶手段の空き容量が両面印刷が可能なだけの所定量以上に回復した場合にも、前記画像記録媒体の両面記録を行う両面記録モードに復帰せず、前記画像記録媒体の片面へ記録を続行する。従って、複数頁の印刷結果が、片面印刷のものの後に両面印刷のものが混じってしまうことがない。
【００５２】
また、請求項３に記載の画像記録装置では、請求項１又は２に記載の画像記録装置の効果に加え、通信回線を介して接続された他の装置からの要求により、送信手段が前記記憶手段に記憶した画像情報を当該他の装置に送信する画像記録装置においても、記憶手段が受信した画像情報で一杯になることを防止することができる。よって、記憶手段へ画像情報を引き続き受信し続けることができ、受信エラー等の発生を防止できる。
【００５３】
また、請求項４に記載の画像記録装置では、請求項１乃至３の何れかに記載の画像記録装置の効果に加え、通信回線を介して接続された他の装置から送信される音声情報を前記記憶手段に記憶する留守番電話機能を備えた画像記録装置でも、記憶手段が受信した画像情報で一杯になることを防止することができる。よって、記憶手段へ画像情報を引き続き受信し続けることができ、受信エラー等の発生を防止できる。
【図面の簡単な説明】
【図１】図１は、本発明の第１実施の形態及び第２実施の形態のファクシミリ装置１の構成を示すブロックである。
【図２】図２は、ファクシミリ装置１のＲＡＭ９の記憶エリアの概念図である。
【図３】図３は、ファクシミリ装置１の入力キーユニット５の平面図である。
【図４】図４は、ファクシミリ装置１のファクシミリ受信記録処理を示すフローチャートである。
【符号の説明】
１  ファクシミリ装置
２  ＣＰＵユニット
３  ＣＰＵ
４  ゲートアレー
５  入力キーユニット
６  入力キー制御回路
７  ＲＯＭ
９  ＲＡＭ
９ａ  両面印刷設定情報記憶エリア
９ｂ  画像情報記憶エリア
９ｃ  印刷データ展開バッファ
９ｄ  ＩＣＭ記憶エリア
１８  モデム
１９  ＮＣＵ
２０  通信回線
２２  読取装置
２３  画像処理ＬＳＩ
２４  印字ヘッド
２５  ヘッド駆動回路
２７  表示パネル
２９  両面印刷機構
３０  両面印刷機構制御回路
３１  再生指示ボタン
３４  両面印刷ボタン
３５  リトリーバル機能設定ボタン
３６  機能設定ボタン
【図１】
0003633433.tif 000002
【図２】
0003633433.tif 000003
【図３】
0003633433.tif 000004
【図４】
0003633433.tif 000005